(57)【要約】【課題】機器のための台座上筐体を提供すること。【解決手段】台座上筐体は、機器のための台座に取り付けられる壁を有し、壁は台座から離れた場所で台座に取り付けられる。壁を台座から離れて設けることによって、筐体内の機器の周りにより大きい空間が提供される。【選択図】図１
2013241831.tif 000002
【特許請求の範囲】
【請求項１】
台座の上に取り付けられる機器のための筐体であって、
台座に取り付けられる複数の外壁と、
外壁によって形成され、機器を保持する大きさであり、水平断面積を有する室とを備え、
台座は水平底面積及び周縁部を有し、外壁の少なくとも１つは、少なくとも１つの外壁が台座の周縁部から外側に離れた場所に延在するように、台座に取り付けられ、室の断面積は底面積より大きい、筐体。
【請求項２】
台座に取り付けられる骨組構造をさらに備え、外壁は骨組構造に取り付けられる、請求項１記載の筐体。
【請求項３】
屋根をさらに備える、請求項１記載の筐体。
【請求項４】
台座の周縁部から外壁の方に向かって延在する下パネルと、上パネルとをさらに備え、下パネル、上パネル及び外壁は、拡張ユニットを形成する、請求項１記載の筐体。
【請求項５】
台座の各々の側は、台座の周縁部から延在する拡張ユニットを有する、請求項４記載の筐体。
【請求項６】
外壁はアクセスドアをさらに備える、請求項１記載の筐体。
【請求項７】
外壁は、防音及び／又は断熱を筐体に提供する遮断パネルをさらに備える、請求項１記載の筐体。
【請求項８】
台座を少なくとも部分的に取り囲む被覆をさらに備える、請求項１記載の筐体。
【請求項９】
台座の周縁部から外壁の方に向かって延在する下パネルと、上パネルとを備え、下パネル、上パネル及び外壁は、構造に取り付けられる拡張ユニットを形成する、請求項２記載の筐体。
【請求項１０】
水平底面積を有する上面及び周縁部を有する台座に取り付けられる機器と、
少なくとも１つの外壁が台座の周縁部から外側に離れた場所に延在するように台座に離れて取り付けられる複数の外壁と、
外壁によって形成され、機器を保持する大きさであり、水平断面積を有する室とを備え、
室の断面積は底面積より大きく、複数の外壁は筐体を形成する、筐体内に入れられた機器。
【請求項１１】
台座に取り付けられる骨組構造をさらに備え、外壁は骨組構造に取り付けられる、請求項１０記載の筐体内に入れられた機器。
【請求項１２】
屋根をさらに備える、請求項１０記載の筐体内に入れられた機器。
【請求項１３】
台座の周縁部から外壁の方に向かって延在する下パネルと、上パネルとをさらに備え、下パネル、上パネル及び外壁は、拡張ユニットを形成する、請求項１０記載の筐体内に入れられた機器。
【請求項１４】
台座の各々の側は、台座の周縁部から延在する拡張ユニットを有する、請求項１３記載の筐体内に入れられた機器。
【請求項１５】
外壁はアクセスドアをさらに備える、請求項１０記載の筐体内に入れられた機器。
【請求項１６】
外壁は、防音及び／又は断熱を筐体に提供する遮断パネルをさらに備える、請求項１０記載の筐体内に入れられた機器。
【請求項１７】
台座を少なくとも部分的に取り囲む被覆をさらに備える、請求項１０記載の筐体内に入れられた機器。
【請求項１８】
台座の周縁部から外壁の方に向かって延在する下パネルと、上パネルとを備え、下パネル、上パネル及び外壁は、拡張ユニットを形成し、拡張ユニットは構造に取り付けられる、請求項１１記載の筐体内に入れられた機器。
【請求項１９】
機器が取り付けられた台座上に筐体を組み立てる方法であって、方法は、
機器が取り付けられた、周縁部を有する台座を設ける工程と、
各々が外壁、下面及び上面を有する複数のモジュラ拡張ユニットを設ける工程と、
各モジュラ拡張ユニットの外壁が台座の周縁部から離れた場所に配置されるように、モジュラ拡張ユニットを台座に取り付ける工程とを備える方法。
【請求項２０】
構造を設ける工程と、構造を台座に設置する工程と、モジュラ拡張ユニットを構造に取り付ける工程とをさらに備える、請求項１９記載の方法。
【発明の詳細な説明】
【技術分野】
【０００１】
本発明は、概して、機器を支持する台座の上に取り付けられた筐体に関する。
【背景技術】
【０００２】
工場又は他の場所に配置された機器又は機器のモジュールの大きな部分は、熱、寒さ、ほこり、湿度及び降水を含む外部環境から機器を保護すること、並びに、機器によって発生される雑音を音響的に減衰させることを含めて種々の理由のために、また機器故障の場合に機器の近くの個人や他の機械を保護するために、しばしば構造内に入れられる。現在、一般的に使用される２種類の筐体が存在する。第１の種類の筐体は、台座上筐体であり、筐体の壁は、機器を定位置に保持する台座に取り付けられる。他の種類の筐体は、台座外筐体であり、筐体の壁は、基礎のような、機器を保持する台座以外の別個の又は独立した支持構造によって支持される。
【０００３】
台座上筐体及び台座外筐体の両方とも、利点及び欠点を有する。台座上筐体の利点は、壁を機械の台座に取り付けることによって、筐体を容易に組み立てることができ、結果として、筐体を迅速に構築することができる。台座上筐体の欠点は、点検のために機器の周囲で操作するための、又は例えば保守のために機器にアクセスするための空間が機器の周囲にほとんどないことを含む。この問題に対処するために、台座上筐体には、点検又は保守のために除去する又は開く必要がある一連の着脱可能又は移動可能なパネルが設けられている。これは、点検又は保守のためのこれらのパネルを開く又は除去するためにかなりの時間を追加する。また、これらのパネルは、着脱可能な又は移動可能な性質により、一般的に、機器によって発生される音の十分な音響的減衰を実現しない。
【０００４】
台座外筐体は、機械の周囲により大きい空間を設けるために、しばしば機械の周囲から離れた距離に構築される。しかしながら、台座外筐体は、典型的に、筐体の壁及び屋根を支持するために別個の基礎を必要とする。これは結果として、設置時間を増加させ、追加の基礎を構築する必要性を生じ、消火剤の場合、一般により多くの量が台座外筐体に必要となる。さらに、台座外筐体は、しばしば、機器の周囲に必要以上の空間を使用して構築される。
当技術分野では、台座上筐体の構築が容易であり、台座外筐体によってもたらされる空間が増加した、機器のための筐体を提供する必要性が存在する。
【先行技術文献】
【特許文献】
【０００５】
【特許文献１】米国特許出願公開第２０１０／０１６３７０５号
【発明の概要】
【課題を解決するための手段】
【０００６】
概して、本発明は、台座上に取り付けられる機器のための筐体を提供する。この筐体は、台座に取り付けられる複数の外壁と、外壁によって形成され、機器を保持する大きさである室とを有する。室は、水平断面積を有する。台座は、水平底面積及び周縁部を有する。外壁の少なくとも１つは、少なくとも１つの外壁が台座の周縁部から外側に離れた場所に延在するように、台座に取り付けられる。これは、台座の表面積より大きい断面積を有する室を提供する。筺体は、台座に取り付けられた機器にアクセスするためのより大きい空間を筺体内に備える。
【０００７】
加えて、台座に取り付けられた機器を有する、筐体内に入れられた機器が提供される。台座は、水平底面積及び周縁部を有する上面を備える。複数の外壁が、少なくとも１つの外壁が台座の周縁部から外側に離れた場所に延在するように、離れて台座に取り付けられる。外壁は、機器を保持する大きさの室を形成し、室は水平断面積を有する。室の断面積は底面積より大きく、複数の外壁は筐体を形成する。
【０００８】
機器が取り付けられた台座上に筐体を組み立てる方法も提供される。この方法は、機器が取り付けられた、周縁部を有する台座を設ける工程と、各々が外壁、下面及び上面を有する複数のモジュラ拡張ユニットを設ける工程と、各モジュラ拡張ユニットの外壁が台座の周縁部から離れた場所に配置されるように、モジュラ拡張ユニットを台座に取り付ける工程とを含む。
【図面の簡単な説明】
【０００９】
【図１】例示的な台座上筐体を示す図である。
【図２】台座上筐体の設置前の台座上の機器を示す図である。
【図３】台座上筐体の設置前の台座上の機器を取り囲む構造を示す図である。
【図４】側壁、拡張部及び屋根を有する台座上筐体を示す図である。
【図５】側壁、端壁及び拡張部を有する台座上筐体を示す図である。
【図６】拡張部を有する台座上筐体の側壁を示す図である。
【図７】拡張部を有する台座上筐体の端壁を示す図である。
【発明を実施するための形態】
【００１０】
本発明のよりよい理解を得るために、本明細書の図面に留意されたい。
【００１１】
図１及び２を参照すると、台座９上の筐体１が示される。機器２（想像線で描かれた全体的な容積の箱としてのみ示される）が、台座９によって支持され、台座９に取り付けられる。台座９は上面２９を有し、周縁部３９が台座の上面２９の周囲に延在する。上面２９は、図２に示すように、台座９から外に延在してもよく、又は、台座９と同一平面であってもよい（図示せず）。上面２９は台座９の一部である。複数の外壁５が台座９に取り付けられる。外壁５は図４に示す室３を形成し、室３は機器２を取り囲み、収容する。室３は、筐体１によって形成される内部空間である。筐体１は、さらに、室３内に機器２を収容するために機能する上壁又は屋根４を有してもよい。室３は内部容積を有し、内部容積は、外壁５の内面、台座９の上面２９、及び屋根４の内面によって画定される。室３のこの内容積は、機器２の容積より大きい。
【００１２】
外壁５の少なくとも１つは、図４に示すように、上面２９の周縁部３９から離れた場所に配置される。下面１７は、外壁５間に配置され、台座９の周縁部３９から離れて配置される。加えて、上面１６も存在してもよい。下面１７は、台座９の上面２９の拡張部として機能し、これによって、室３内の機器２の周りの空間を拡大する。上面１６は、上壁パネル又は屋根４の拡張部として機能する。下面１７は、台座９及び外壁５の両方に直接又は間接的に接続され、下面１７の表面積によって室３の水平断面積を増加させる。筐体１内のこの追加の表面積又は床面積は、作業者が筐体１の室３内部から機器２により容易にアクセスすることを可能にし、保守、修理及び必要な調整のための機器２へのアクセスを改善する。ちょうど１つの外壁、外壁のすべて、又は、１及び外壁の総数の間のある数の外壁が、台座９の周縁部３９から離れて配置されてもよいと考えられる。
【００１３】
図１及び４に示すように、全体的に、台座９は基礎７及びスラブ８によって支持される。基礎７は、例えば流し込みコンクリート基礎を含む任意の適切な基礎であってもよい。機器２を有する台座９は、スラブ８上に配置され、基礎７によって支持される。筐体１も基礎７によって支持される。スラブ８は、図１及び４に示すように、基礎７の外側に延在してもよく、又は、場合によっては基礎７と同一平面であってもよい（図示せず）。
【００１４】
外壁５は、図４に示すようにモジュラ拡張ユニット１３、１４の一部であってもよく、そこで外壁５、上面１６及び下面１７は一体に結合される。図示するように、モジュラ拡張ユニット１３、１４は、横モジュラ拡張ユニットとして示される。これらの拡張ユニット１３、１４は、構造１０に取り付けられてもよい。図５に示すように、筐体１の端部は、拡張ユニット１８、１９によって囲まれる。モジュラ拡張部１８、１９は、端部モジュラ拡張ユニットとして示される。モジュラ拡張ユニット１３、１４と同様に、モジュラ拡張ユニット１８、１９は、外壁５、上面１６及び下面（図５には示さず）を有する。拡張ユニットをモジュラユニットとして提供することによって、筐体１の壁及び拡張ユニットを、工場出荷時に構築し、筐体１を形成するために組み立ての現場に輸送することができる。
【００１５】
図３を参照すると、構造１０は台座９に取り付けられてもよい。構造１０は、全体的に機器２の容積の外側で台座９に取り付けられる。全体的に、構造１０は、表面２９の周縁部３９のちょうど内側で台座９の上面２９に取り付けられる。構造１０は、図３に示すような骨組の形態である場合、外壁５又は拡張ユニット１３、１４、１８及び１９のための固定点を提供することによって、外壁５並びに／又は拡張ユニット１３、１４、１８及び１９への支持を提供することができる。加えて、構造１０は、上壁又は屋根４のための支持を提供することができる。図２に示すように、構造１０は垂直要素１０１及び水平要素１０２によって形成され、垂直要素１０１及び水平要素１０２は骨組を形成するために一体となり、そこで垂直要素１０１は水平要素１０２によって互いに接続される。代わりに、垂直要素１０１は、対角線要素（図示せず）によって互いに接続されてもよく、又は、水平要素１０２は、筐体１の形状に応じて対角線要素（図示せず）もしくは曲線要素（図示せず）によって互いに接続されてもよい。構造１０の実際の構成は、構造が筐体１の外壁５、又は、拡張ユニット１３、１４、１８、１９及び屋根４を支持する限り、重要ではない。加えて、構造１０は、構造１０によって取り囲まれた機器２への容易なアクセスを提供するために、側面１２を開き、上面１１、要素１０１、１０２を開くべきである。構造１０は、外壁５、又は、拡張ユニット１３、１４、１８、１９及び屋根５を支持する任意の材料から作成することができるが、金属のような熱、振動及び火に耐える材料が有利である。
【００１６】
構造１０は、製造場所から設置現場への台座及び機器の輸送前に、台座上に形成されてもよい。この場合は、屋根４は、輸送前に構造１０上に配置されてもよい。加えて、構造１０は、輸送中に機器２のための保護カバーを支持するために使用されてもよい。保護カバーは、輸送中に機器２を保護する防水シート又は他の同様の構造の形態であってもよい。保護カバーは構造１０に固定されてもよい。
【００１７】
上面２９は、上面２９の水平平面表面積に等しい画定された表面積を有する。室３は、一般的に上面２９で又はその近くで測定される水平断面積を有する。上面の周縁部３９から離れた少なくとも１つの外壁５の配置のため、室３の水平断面積は、上面２９の水平平面表面より大きい。
【００１８】
外壁５は、金属、様々な材料の積層物等を含むがこれらに限定されない種々の材料から形成されてもよい。一般的に、外壁５は、防音特性を有する材料から形成されてもよい。外壁５は単一のパネルから形成されてもよく、又は図４に示すように、外壁５は一連のパネル１５から形成されてもよい。パネル１５に加えて、場合によっては外壁に少なくとも１つのアクセスドア２０が設けられてもよく、アクセスドア２０は、人が外部環境から筐体１に入ることを可能にする。
【００１９】
台座９は、さらに外被覆６を備えてもよい。外被覆６は、台座９の周縁部全体を覆うために使用されてもよく、台座９のための防音材又は断熱材として機能することができる。外被覆６は、単一のパネル（図示せず）であってもよく、又は、図５に示すように一連のパネル２１であってもよい。図４に示すように、スラブ８が基礎７を越えて延在する場合、外被覆６はスラブ８によって支持されてもよい。外被覆６は、設置現場に輸送される前に台座９に適用されてもよく、又は、設置現場で取り付けられてもよい。一般的に、被覆６は設置現場で取り付けられる。
【００２０】
機器２は、外部要素から保護する必要がある可能性がある、又は、機器２の近傍の周囲環境及び人を保護するために取り囲む必要がある、例えば、ガスタービン、ガスタービン用の補助モジュール、又は、工場内の機器の他の同様の部分を含む、機械の種々の異なった部分であってもよい。一般的に、筐体１は、機器と機器を取り囲む環境との間に、熱障壁、音響障壁又はこれらの組み合わせを提供するように機能する。
【００２１】
筐体１は、台座上筐体の利便性及び組み立ての容易さで、台座外筐体の空間を提供する。筐体１は、一般的に、増加した空間のための追加の大量の消火剤を提供する必要なしに、機器の周囲の追加の空間を提供する。さらに、追加の空間は、筐体内に潜在的に問題を引き起こす可能性がある停滞部を筐体内に潜在的に形成するほど大きくはない。
【００２２】
筐体１は、完全に閉じる又は部分的に開くことができる。図１及び４に示すように、筐体１は１つ又は複数の開口部４０を有することができ、開口部４０は、筐体１に換気を提供し、配管等に筺体１に出入りするためのアクセスを提供することができる。開口部４０は、屋根４、外壁５、上面１６及び／又は下面１７に設けられてもよい。場合によっては、必要ならば筐体１は、機器へのさらなるアクセスを可能にするために、部分的に開くことができる又は着脱可能であってもよいパネル１５を有してもよい。
【００２３】
筐体の組み立てでは、一般的に、機器２が取り付けられた台座９が、機器２が設置されるべき場所に輸送される。輸送の典型的な形態は、鉄道車両、トレーラトラック又は他の適切な手段を含む。多くの場合、機器及び台座は、機器２の幅、長さ又は高さのため、機器２を設置の場所に移動することが困難な大きさである可能性がある。一般的に、機器２を有する台座９は、拡張部１３、１４、１８及び１９又は屋根パネル４なしで輸送される。これは、拡張部１３、１４、１８及び１９は、台座に取り付けた場合、機器２／台座９の組み合わせの全体の長さ又は幅を増加させるためである。上述したように、構造１０は、既に台座９上に組み立てられて輸送されてもよく、又は、例えば拡張部１３、１４、１８及び１９とは別々の輸送で輸送されてもよい。一般的に、構造１０が機器２／台座９の組み合わせの幅、長さ又は高さを増加させる場合、構造１０は別々に輸送され、設置現場で組み立てられる。
【００２４】
拡張部１３、１４、１８及び１９の輸送を容易にするために、図６及び７に示すように、拡張部１３及び１４を一体の対にすることができ、拡張部１８及び１９を一体の対にすることができる。拡張部を一体の対にすることによって、拡張部は、輸送中にはより小さい容積を占めることになり、輸送中の各拡張部により高い安定性を提供することになる。代わりに、拡張部１３、１４、１８及び１９が取り付けられた機器２／台座９の組み合わせが、単一のユニットとして容易に輸送することができる幅、長さ又は高さのものである場合、拡張部１３、１４、１８及び１９は、輸送前に台座９上に組み立てられてもよい。
【００２５】
機器２を有する台座９が工場又は設置の場所に到着すると、機器２を有する台座９は、台座９が基礎７によって支持されるように、基礎７／スラブ８上に慎重に配置される。一般的に、基礎７／スラブ８は、台座９及び機器２が到着する前に組み立てられる。次に、構造１０が、必要なら台座９上に組み立てられる。構造１０が組み立てられると、必要ならば、次に拡張部１３、１４、１８及び１９がベース９に取り付けられ、場合によっては構造１０に取り付けられる。屋根４に関しては、設置現場に輸送される前に骨組１０に取り付けられてもよく、又は、機器の設置現場で取り付けられてもよい。
【００２６】
本発明を種々の実施形態を参照しながら説明してきたが、当業者は、本発明の趣旨及び範囲から逸脱することなく、形態及び細部を変更することができることを認識するであろう。したがって、上記の詳細な説明は限定ではなく例示的なものとしてみなされることと、すべての等価物を含む添付の特許請求の範囲は、本発明の範囲を定義するために意図されるものであることとが意図される。
【図１】
2013241831.tif 000003
【図２】
2013241831.tif 000004
【図３】
2013241831.tif 000005
【図４】
2013241831.tif 000006
【図５】
2013241831.tif 000007
【図６】
2013241831.tif 000008
【図７】
2013241831.tif 000009